(57)【特許請求の範囲】
【請求項１】
巻芯に巻き回した感光材料を収納する多角柱体のロール状感光材料収納容器において、前記巻芯と垂直な一表面上に溝部を設けた事を特徴とするロール状感光材料収納容器。
【請求項２】
巻芯に巻き回した感光材料を収納する多角柱体のロール状感光材料収納容器において、前記巻芯と垂直な一表面上に凸部を設けた事を特徴とするロール状感光材料収納容器。
【請求項３】
感光材料の幅サイズなどのデータを示す識別表示を、前記感光材料の引き出し口を有する一表面上に設けた事を特徴とする請求項１または２に記載のロール状感光材料収納容器。
【請求項４】
巻芯に巻き回したロール状の感光材料を収納してなる容器を装着するための収納容器ホルダにおいて、前記巻芯と垂直な一表面上に凸部を設けた事を特徴とする収納容器ホルダ。
【請求項５】
巻芯に巻き回したロール状の感光材料を収納してなる容器を装着するための収納容器ホルダであって、前記巻芯と垂直な一表面上に凸部を有する収納容器ホルダを介して、前記収納容器ホルダから前記感光材料を引き出して画像処理を行う感光材料処理装置において、前記凸部と係合する凹部を前記収納容器ホルダの装着部に設けた事を特徴とする感光材料処理装置。
【発明の詳細な説明】
【０００１】
【発明の属する技術分野】
本発明は、ロール状の感光材料を収納するための収納容器、前記収納容器を装着するための収納容器ホルダ及び当該収納容器から前記感光材料を引き出して画像処理を行う感光材料処理装置に関する。
【０００２】
【従来の技術】
ロール状の感光材料を収納するための収納容器、前記収納容器を装着するための収納容器ホルダ、及び、装置の装着部に前記収納容器又は前記収納容器ホルダを装着せしめ、前記感光材料を引き出し口から引き出して画像処理を施すようにした感光材料処理装置は、例えば、カラープルーフ作成装置の分野で知られている。
【０００３】
具体的には、カラー印刷物を作成するに当たって、原稿フィルムの段階で色校正（カラープルーフ）を行う事があり、その際、Ｙ版、Ｍ版、Ｃ版及び墨版に色分解された各分解網原稿フィルムを使って校正物を作成し、本番の印刷版を作成する前に、原稿フィルムのレイアウト、色、文字等に誤りがないかを検査し、印刷物の仕上がりを事前に確認するのが一般的であり、前記校正物を作成する装置をカラープルーフ作成装置と言う。
【０００４】
そして、前記の様な装置において、前記校正物は印画紙からなる感光材料により得られる。
【０００５】
印画紙等のロール状感光材料を収納するための収納容器の構成は、特開平７−２８７３５１号公報により知られている。
【０００６】
例えば、図９に示すように、感光材料１を巻芯２上に巻き回し、当該巻芯２の両端を外形が矩形のフランジ３に設けた軸受け部４に嵌合し、容器胴枠５を折曲せしめるとともに、その両端部を前記フランジ３の外周に接着する事により、四角柱の収納容器Ｃ内に感光材料を収納した構成としている。
【０００７】
図１０は組立完了後のロール状感光材料収納容器Ｃの外観を示す。
【０００８】
又は、図１１に示す如く、上述と同様にフランジ３と巻芯２を介しての感光材料１との一体化を図り、前記構体を容器下箱６に入れた後、上箱７で蓋をし、四角柱の収納容器Ｃ内に感光材料を収納した構成としている。
【０００９】
図１２に示すのは、ロール状の感光材料１を適宜収納してなる収納容器Ｃを装着出来る収納容器ホルダである。図１２の構成は図１１の構成共々、発明の実施の態様にも使用する。また、図１２の把手は実施の態様における凸部（突起でもある）。
【００１０】
この収納容器ホルダ８は、正面壁８０１、底面壁８０３、左右側壁８０５、８０７を主要素とし、図における右上方部に、収納容器の装着或いは脱着のための大きな開放部８０９を有する。
【００１１】
公知の感光材料処理装置は、収納容器Ｃ又は収納容器装着後の収納容器ホルダ８を装着する装着部、感光材料を取り扱う搬送手段、露光手段及び他の処理手段を有し、操作において、前記収納容器から前記感光材料を引き出し、像様露光後、発色現像処理、漂白定着処理、安定化処理及び乾燥処理を施して所望の画像を提供するようになっている。
【００１２】
【発明が解決しようとする課題】
しかしながら、前記収納容器は四角柱の外形を有するように構成されるのが一般的であり、外側表面には格別なアクセントがないので、処理装置に装着する場合、その向きを間違える可能性があった。
【００１３】
ところが、使用される感光材料は、その幅が約５００ｍｍ〜６００ｍｍと広く、かつ、未使用な場合の長さは数十ｍもあり、相当な重量物であるので、装着を間違えた時には、単に向きを変えるにも重労働なものであった。
【００１４】
また、装着部とはいっても、例えば、感光材料処理装置の底板に沿って収納容器を滑らせ、押し込んだ状態でセットする程度のシンプルな構成である事が多く、適正な位置、すなわち、正規のセット位置に前記収納容器をセット出来たかどうか、注意して確認する必要があった。
【００１５】
そして、正規なセットが出来ないと収納容器に貼着した感光材料の種別やサイズなどの情報を、感光材料処理装置側に配した読みとり手段により読みとる事が出来ないと言う問題があった。
【００１６】
また、ロール状感光材料を収納する収納容器を輸送したり、保管時などに、当該収納容器を縦置きにしておく事がままあった。
【００１７】
このような状態が続くと、感光材料が筍状に巻きズレを起こし、それを感光材料処理装置に装着して使用した場合、ジャム（搬送路における感光材料の詰まり）を引き起こす可能性が高くなる。
【００１８】
同時に、上記の保管の態様は、収納容器が倒れたりすると極めて危険である。
【００１９】
更に、収納容器の外観は似たり寄ったりであり、同様の目的に使用できる感光材料が安く提供される状況が出現すると、使用者は当然の事ながら安価な方を購入し、使用に供する。
【００２０】
ところが、感光材料は現像処理との密接な関係をもって適正な画像を形成する事が出来るようになっており、そのパラメータが崩壊すると欠陥画像となる危険性を有しており、結果として、使用者（顧客）に思わぬ迷惑をかける事にもなりかねない。
【００２１】
本発明は上記点に鑑みなされたもので、その目的とするところは、ロール状感光材料収納容器等の誤セット及び縦置きを極力防止し得、かつ、使用者に迷惑をかける事のない、ロール状感光材料収納容器、収納容器ホルダ及び前記ロール状感光材料収納容器、前記収納容器ホルダを使用する感光材料処理装置を提供する事にある。
【００２２】
【課題を解決するための手段】
本発明の目的は下記する構成によって達成する事が出来る。
【００２８】
（１）  巻芯に巻き回した感光材料を収納する多角柱体のロール状感光材料収納容器において、前記巻芯と垂直な一表面上に溝部を設けた事を特徴とするロール状感光材料収納容器。
【００２９】
（２）  巻芯に巻き回した感光材料を収納する多角柱体のロール状感光材料収納容器において、前記巻芯と垂直な一表面上に凸部を設けた事を特徴とするロール状感光材料収納容器。
【００３０】
（３）  感光材料の幅サイズなどのデータを示す識別表示を、前記感光材料の引き出し口を有する一表面上に設けた事を特徴とする前記（１）または（２）に記載のロール状感光材料収納容器。
【００３３】
（４）  巻芯に巻き回したロール状の感光材料を収納してなる容器を装着するための収納容器ホルダにおいて、前記巻芯と垂直な一表面上に凸部を設けた事を特徴とする収納容器ホルダ。
【００３４】
（５）  巻芯に巻き回したロール状の感光材料を収納してなる容器を装着するための収納容器ホルダであって、前記巻芯と垂直な一表面上に凸部を有する収納容器ホルダを介して、前記収納容器ホルダから前記感光材料を引き出して画像処理を行う感光材料処理装置において、前記凸部と係合する凹部を前記収納容器ホルダの装着部に設けた事を特徴とする感光材料処理装置。
【００３７】
【発明の実施の形態】
本発明の実施の形態を図面に基づいて説明する。
【００３８】
図中、前記した部材と同じ部材については同一の参照記号を付してある。
【００３９】
図１はロール状感光材料収納容器（以下、カートリッジと言う）の斜視図であり、図２は前記カートリッジを装着するための感光材料処理装置（以下、単に処理装置と言う）側の装着部を示す説明用の側面図である。
【００４０】
図中、Ｃは四角柱体（多角柱体）に構成した、内部に空間部を有するカートリッジである。
【００４１】
前記カートリッジＣの内部には巻芯上に巻き回したロール状感光材料を収納してあり、巻芯の両端はフランジに設けた軸受けによりガタつかないように支持してある。当該構成により、巻芯とカートリッジＣの長手方向の四表面は実質的に平行である。
【００４２】
９は前記感光材料を引き出すための引き出し口であり、１は感光材料を示す。
【００４３】
７０１は前記巻芯と平行な表面の内、引き出し口９の存在する表面７００と同じ表面上に形成した外形が矩形の凹部である。
【００４４】
前記凹部７０１に代えて凸部を設けることも出来、或いは、凹部、凸部の両方を設けても良い。これら凹部或いは凸部を、便宜上、係合片という事がある。
【００４５】
更に、前記形成面は図における下面であってもよいが、カートリッジ自体が重量物となる事を考慮し、作業性を少しでも良くする事を考慮すると、処理装置Ｔの装着部Ｌに対して装着方向（図２においては、左から右側にスライドして装着）となし得る前記一表面に設ける事が好ましい。
【００４６】
前記凹部７０１は、カートリッジＣを装着部に正規に装着した場合、前記処理装置側の装着部Ｌに設けてある凸部１０と機械的に係合するようになっている。
【００４７】
前記凹部７０１に代えて凸部としたり、或いは、凹部と凸部の両方を設けた場合、処理装置の装着部Ｌにはそれら係合片と係合しうる凹部及び／又は凸部と凹部を準備する事になる。
【００４８】
１１は、処理装置に設けてあるカバーで、カートリッジＣの装着後の閉によって、押圧部材１１０を介してカートリッジ背壁を押圧し、前記機械的係合を確実にするとともに、カートリッジＣの位置固定に寄与するようになっている。
【００４９】
なお、前記装着部Ｌが一つであり、サイズの異なる複数のカートリッジを使用する態様であれば、例えば、前記凹部７０１の如き係合片及び処理装置側の凸部１０の如き係合片は、最小サイズのカートリッジＣに合わせて設ければよい。
【００５０】
更に、前記カートリッジＣを直接、処理装置Ｔの装着部Ｌに装着するのに代え、カートリッジをカートリッジホルダ（以下、単にホルダと言う）に装着後、当該ホルダを前記装着部に装着する態様においては、カートリッジ内に幅方向の規制手段（位置移動可能なストッパ手段）を搭載して、サイズの異なる複数のカートリッジを取り扱えるようになし、前記係合片（凹部、凸部等）は適宜の位置に設ければよい。
【００５１】
なお、感光材料のサイズデータ等、必要な情報をカートリッジＣの表面に付すとともに、当該情報を処理装置側に設けた読みとり手段により読みとる構成においては、最小サイズのカートリッジに合わせた位置（例えば、カートリッジの左端を装着の基準とする場合、その左端から図って所定距離を有するカートリッジ上の位置）に前記情報を付す事が、機構を簡単化するために、好ましい。
【００５２】
この場合、前記情報が入っているカートリッジ上の区域に対応したホルダ上には、例えば、窓を設けることが望まれる。
【００５３】
上記情報の表示及び読みとりについての構成は、ホルダを使用しない態様においても同じである。
【００５４】
図３は他の実施の形態におけるカートリッジＣの斜視図であり、図４は処理装置のカートリッジ装着部Ｌの構造を単純に示す概略図である。
【００５５】
カートリッジの中は前述と同様の構成を有し、ロール状の感光材料１が収納されている。換言すれば、感光材料１を巻き回している巻芯とカートリッジの幅方向（図における長手方向）を形成する四表面は平行である。
【００５６】
カートリッジＣの外形は基本的に四角柱体であるが、その下部に、面取り（時に、面取り部とも言う）７０３を設けてある事が前記の実施の形態と異なる。
【００５７】
前記面取り７０３は、感光材料の引き出し口９が存在する表面７００と、当該表面７００と一辺７０５を共通辺とする底面との間に形成してある。
【００５８】
即ち、側面から見て、表面７００と底面との間に存在する辺７０５を中心として、両面上において等距離入った部分を結んで出来る線をカットしてなる。
【００５９】
前記面取り７０３はカートリッジＣの幅方向全域に渡って形成しても、図示の如く、幅方向における一部分としてもよい。
【００６０】
７０９は感光材料の種類（ポジタイプ、ネガタイプ）、サイズ等、処理に関係した情報（データ）を表示する識別表示である。
【００６１】
処理装置Ｔの装着部Ｌには、前記面取り７０３に対応する位置に、当該面取り部と接触（係合）する傾斜部１２及び前記識別表示７０９を読みとる読みとり手段１３を配設してある。なお、この例においても、前述したカバー１１を設ける事が好ましい。
【００６２】
図５は別の構造を有するカートリッジを処理装置Ｔの装着部Ｌに装着した状態を示す説明用の側面図である。
【００６３】
カートリッジ内部の構成は、前述と同様である。
【００６４】
本例においては、カートリッジＣの底面７０７に凹部７０８を設け、処理装置側には前記凹部（係合片）と係合する凸部（係合片）１３を設けてなる。
【００６５】
本例に限らないが、前記凹部７０８は、例えば、「Ｋ」のようなアルファベット、或いは、数字等とする事が出来る。
【００６６】
前記凹部の大きさ、長さ、個数等は適宜決定できる。なお、本例においてもカートリッジの背面を押圧する手段を処理装置側に設ける事が望ましい。
【００６７】
図６、図７及び図８はカートリッジＣの他の外形構造を示す概略図である。
【００６８】
前述したカートリッジと異なる所は、内部に収納されている巻芯の長さ方向に対して垂直な表面７２０を利用して溝部７２１、凹部７２３、凸部７２５等の係合片を設けたことである。
【００６９】
前記溝部の代わりに、把手兼用の突起部と成しても良い。
【００７０】
この場合、当然のことながら、処理装置側には、前記係合片と機械的に係合する他の係合片が備えられる。
【００７１】
前記のように、巻芯と垂直な表面の利用は、感光材料のサイズの異なりに応じてカートリッジのサイズが異なり、一方、処理装置側にカートリッジサイズ別の専用の装着部を有しない場合に不便が感じられるが、例えば、処理装置側に、前記係合片と係合する係合片を設けた側板を移動可能に設けることにより対応できる。
【００７２】
但し、処理装置の構成が、前記カートリッジの係合片のある面７２０を先頭にして装着する態様であって、処理装置側の固定部に対する前記面の突き当てがカートリッジの位置基準である態様ならば問題はない。
【００７３】
また、異なったサイズのカートリッジに対して適応できるようにホルダを構成する事は十分考えられるところであり、従って、斯様なホルダであれば処理装置側に前記側板の如き特別な構成を強いずに、簡単に適応する事が出来る。
【００７４】
なお、図８の態様の場合は、凸部７２５の存在により、カートリッジの縦置きを防止しうる事が期待でき、縦置きによる感光材料の巻きズレ発生を防止出来る。
【００７５】
縦置き防止は、例えば、前記面７２０に傾斜を付することでも可能である。
【００７６】
なお、ホルダ使用の場合であっても、処理装置側からすれば収納容器と同じと見なしうるので、前記凹部、凸部を初めとする係合片を、収納容器内の巻芯と平行な四面上に、又は、巻芯と垂直な面上に設ける事ができる事は言うまでもない。
【００７７】
例えば、前記凹部及び／又は凸部を感光材料の引き出し口を有する表面上に設ける事、巻芯と平行な一辺部を面取りし、当該面取りを感光材料の幅方向（ホルダの長手方向）全域又は一部分に設ける事、巻芯と垂直な一表面上に凹部及び／又は凸部を設ける事ができる。その際、前記凸部を把手兼用としうる事もまた可能である。
【００７８】
それら構成によって、究極的には、カートリッジの装着時における装着ミス（誤セット）を防止出来、カートリッジを正規位置に位置づける事が出来、必要な情報（識別表示）を確実によみとる事ができる状況を呈する事ができ、或いは、場合によるが、縦置き防止の構成により、感光材料の巻きズレ発生を極力防止出来、更に、使用者に安定した画像を継続して提供出来る等、係合片の設け方によって種々のメリットを享受できる。
【００７９】
なお、前記感光材料収納容器或いは収納容器ホルダは、性能を満たすものであれば、紙でも樹脂成型品でも、他の材質からなるものでも良い。
【００８０】
また、カートリッジ及びカートリッジホルダの基本を四角柱体として説明したが、これ以外の多角柱体とする事も出来る。
【００８１】
【発明の効果】
簡単な構成により、カートリッジ等の誤セット、縦置き等を防止し得、使用者に迷惑をかけることを極力防止し得る。
【図面の簡単な説明】
【図１】ロール状感光材料収納容器の斜視図である。
【図２】ロール状感光材料収納容器を装着するための感光材料処理装置側の装着部を示す説明用の側面図である。
【図３】他の実施の形態におけるロール状感光材料収納容器の斜視図である。
【図４】感光材料処理装置のカートリッジ装着部Ｌの構造を示す概略図である。
【図５】別の構造を有するカートリッジを処理装置Ｔの装着部Ｌに装着した状態を示す説明用の側面図である。
【図６】カートリッジの他の外形構造を示す概略図である。
【図７】カートリッジの他の外形構造を示す概略図である。
【図８】カートリッジの他の外形構造を示す概略図である。
【図９】従来公知の感光材料収納容器の構成を展開して示す図である。
【図１０】組立完了後の感光材料収納容器を示す外観図である。
【図１１】従来公知の他の感光材料収納容器の構成を展開して示す図である。
【図１２】ロール状感光材料収納容器を装着した状態の収納容器ホルダである。
【符号の説明】
１  感光材料
２  巻芯
３  フランジ
４  軸受け部
５  容器胴枠
６  容器下箱
７  容器上箱
８  収納容器ホルダ
９  引き出し口
１０、１３  凸部
１１  カバー
１２  傾斜部
１１０  押圧部材
７００  表面
７０１  凹部
７０３  面取り（部）
７０９  識別表示
Ｃ  カートリッジ（ロール状感光材料収納容器）
Ｌ  装着部
Ｔ  感光材料処理装置
【図１】
0003796965.tif 000002
【図２】
0003796965.tif 000003
【図３】
0003796965.tif 000004
【図４】
0003796965.tif 000005
【図５】
0003796965.tif 000006
【図６】
0003796965.tif 000007
【図７】
0003796965.tif 000008
【図８】
0003796965.tif 000009
【図９】
0003796965.tif 000010
【図１０】
0003796965.tif 000011
【図１１】
0003796965.tif 000012
【図１２】
0003796965.tif 000013